(57)【要約】  本発明は、洗濯機および制御方法を提供している。前記洗濯機に操作パネルが設けられ、さらにインテリジェント端末の接続部が設けられ、インテリジェント端末とデータ接続して、インテリジェント端末で洗濯機を制御することができる。前記操作パネルは、洗濯プログラムを制御するキーと、ディスプレイと、ディスプレイおよび洗濯プログラムキーを駆動する周辺回路とを設けないパネル構造である。本発明の洗濯機の外観は簡潔で、洗練され、操作しやすく、製造コストは大幅に低下し、さらに労働力、物資も節約し、洗濯機の普及に都合がよい。【選択図】図１
2019500164.tif 000002
【特許請求の範囲】
【請求項１】
操作パネルが設けられた洗濯機であって、さらにインテリジェント端末の接続部が設けられ、インテリジェント端末とデータ接続して、インテリジェント端末で洗濯機を制御することができ、前記操作パネルは、洗濯プログラムを制御するキーと、ディスプレイと、ディスプレイおよび洗濯プログラムキーを駆動する周辺回路とを設けないパネル構造であることを特徴とする洗濯機。
【請求項２】
前記接続部はメディアポートであり、シリアルポートをメディアポートに変換するチップを介して洗濯機中のシリアルポートとつながり；
前記シリアルポートをメディアポートに変換するチップは、洗濯機のメインボードに設置されることを特徴とする、請求項１に記載の洗濯機。
【請求項３】
前記メディアポートが、ＵＳＢポートおよび／またはｍｉｎｉＵＳＢポートを含むことを特徴とする、請求項２に記載の洗濯機。
【請求項４】
前記接続部は洗濯機上のシリアルポートであり、データケーブルを介してインテリジェント端末のオーディオポートとつながることを特徴とする、請求項１に記載の洗濯機。
【請求項５】
前記操作パネルに電源キーおよびスタート／一時停止キーが設置され、
洗濯機およびインテリジェント端末が接続していないとき、前記スタート／一時停止キーによりデフォルトでスタートする洗濯プログラムは、
洗濯機のデフォルトの洗濯プログラム；または
インテリジェント端末で予め設定した洗濯プログラム；または
洗濯機が実行した回数が最も多い洗濯プログラム；または
洗濯機が最後に実行した洗濯プログラム；であることを特徴とする、請求項１に記載の洗濯機。
【請求項６】
洗濯機の上面板に、インテリジェント端末を水平に置くことができる第１のへこみが設置され、形状はインテリジェント端末の形状に適応し；
好ましくは、辺の長さが比較的長い２つの側壁にそれぞれ弾性材を設置し、インテリジェント端末を固定することを特徴とする、請求項１に記載の洗濯機。
【請求項７】
洗濯機の上面板に、インテリジェント端末を垂直に置くことができる第２のへこみが設置され、形状はインテリジェント端末の形状に適応し；
第２のへこみの底部に２つのＶ形支持台を設置し、インテリジェント端末を支持して固定することを特徴とする、請求項１に記載の洗濯機。
【請求項８】
前記接続部は２つのＶ形支持台の中間に設置され、インテリジェント端末と差込接続されることを特徴とする、請求項７に記載の洗濯機。
【請求項９】
請求項１〜８のいずれか１項に記載の洗濯機に用いた制御方法であって、
Ｓ１：インテリジェント端末は、ユーザの行為をリアルタイムで監視し、ユーザの操作を検出したとき、洗濯機の機能構成表を照会する；
Ｓ２：インテリジェント端末が機能構成表を解析する；
Ｓ３：インテリジェント端末は、機能構成表の要求に応じて、ユーザの操作を洗濯機が受信することができる操作コマンドに変換し、洗濯機に送信する；
Ｓ４：洗濯機は操作コマンドを受信し、解析後、操作コマンドに応じて洗濯を実行する；を含むことを特徴とする制御方法。
【請求項１０】
工程Ｓ１の後、機能構成表の照会に成功したかどうかをインテリジェント端末が判断し、成功した場合、工程Ｓ２に進み、そうでない場合、ユーザに動作中の接続した装置が異常であると提示することをさらに含み；
工程Ｓ２の後、機能構成表の解析に成功したかどうかをインテリジェント端末が判断し、成功した場合、工程Ｓ３に進み、そうでない場合、ユーザに動作中の機能構成表の解析に失敗したと提示することをさらに含み；
工程Ｓ３の後、洗濯機が操作コマンドの受信に成功したかどうかをインテリジェント端末が判断し、成功した場合、工程Ｓ４に進み、そうでない場合、ユーザに洗濯機がコマンドの受信に失敗したと提示することをさらに含むことを特徴とする、請求項９に記載の制御方法。
【請求項１１】
工程Ｓ４において、洗濯機が操作コマンドを解析した後、
解析に成功したかどうかを洗濯機が判断することと；
成功した場合、操作コマンドに応じて洗濯を実行し、そうでない場合、ユーザに受信したコマンドが異常であると提示することとをさらに含むことを特徴とする、請求項１０に記載の制御方法。
【発明の詳細な説明】
【技術分野】
【０００１】
本発明は洗濯機洗濯の分野に関し、特に洗濯機および制御方法に関する。
【背景技術】
【０００２】
インターネットの発展に伴い、インテリジェント家電も急速に躍進している。マイクロプロセッサ、センサ技術、ネットワーク通信技術を利用し、家電は家電自体の状態、周辺環境の状態などを自発的に感知することができ、さらに遠隔の制御コマンドを自動的に制御するか、または受信することができる。またさらに、インテリジェント家電は一部もしくは全てを人に代わって仕事することができるか、または人類が行うことができない仕事を行うことができ、敏感に感知する能力、正確に思考する能力、正確に判断する能力、および効果的に実行する能力を備える。
【０００３】
インテリジェント家電の能力が次第に高くなるのと同時に、入力能力に対する要求も次第に高くなっている。インテリジェント洗濯機を例とすると、いくつかの洗濯機の入力方式はキー入力のみであり、１つまたは複数のＬＥＤウィンドウを設置して動作中の状態を表示する；いくつかの洗濯機は超小型三原色ディスプレイまたは多原色ディスプレイを使用して動作中の状態を表示し、フェイクタッチキーにより入力を実現する；超小型ディスプレイが躍進している今日、いくつかのスマート洗濯機は７インチのＴＦＴタッチパネルで状態の表示および入力を実現し、大多数のインテリジェント洗濯機の入力に対する要求、例えばネットワーク接続モジュールの構成、プログラムの使用説明などを解決した。さらにいくつかのインテリジェント洗濯機は、固有の洗濯プログラム以外に、洗濯パラメータを自由に組み合わせて洗濯を行う。
【０００４】
しかし、インテリジェント洗濯機の表示および入力方式の急速な発展も、一連の負の影響をもたらしており、例えば７インチのＴＦＴパネル本体のコスト、ディスプレイを駆動する周辺回路のコスト、表示装置に投入する開発者のコストなど、一連のコスト増加である。したがって、インテリジェント洗濯機を普及させることができない。
【０００５】
したがって、インテリジェント洗濯機の複数の機能を達成することができるだけでなく、コストも大幅に節約し、洗濯機の普及に都合がよいインテリジェント洗濯機を急ぎ必要とする。
【０００６】
このことを考慮して、特に本発明を提供する。
【発明の概要】
【発明が解決しようとする課題】
【０００７】
本発明が解決しようとする技術的問題は既存技術の不足を克服することにあり、洗濯機を提供する。該洗濯機の操作パネルに、洗濯プログラムを制御するキーと、ディスプレイと、ディスプレイおよび洗濯プログラムキーを駆動する周辺回路とを設置する必要はなく、洗濯機にインテリジェント端末の接続部を設置し、インテリジェント端末および洗濯機を接続して、洗濯機を制御する。巧妙にインテリジェント端末のコントロールセンターを洗濯機のコントロールセンターとし、インテリジェント端末のディスプレイを洗濯機のディスプレイとし、洗濯機の製造コストおよび開発コストを大幅に節約した。インテリジェント端末で洗濯機のアップグレード、アップデートを実現することもでき、操作が便利で、洗濯機の普及、使用に有利である。
【０００８】
本発明のもう１つの目的は、上記洗濯機に用いた制御方法を提供することにある。
【課題を解決するための手段】
【０００９】
本発明がその技術的問題を解決するために採用した技術案は以下の通りである。
操作パネルが設けられた洗濯機を提供する。さらにインテリジェント端末の接続部が設けられ、インテリジェント端末とデータ接続して、インテリジェント端末で洗濯機を制御することができる。前記操作パネルは、洗濯プログラムを制御するキーと、ディスプレイと、ディスプレイおよび洗濯プログラムキーを駆動する周辺回路とを設けないパネル構造である。
【００１０】
さらに、前記接続部はメディアポートであり、シリアルポートをメディアポートに変換するチップを介して洗濯機中のシリアルポートとつながる。
前記シリアルポートをメディアポートに変換するチップは、洗濯機のメインボードに設置される。
【００１１】
さらに、前記メディアポートはＵＳＢポートおよび／またはｍｉｎｉＵＳＢポートを含む。
【００１２】
さらに、前記接続部は洗濯機上のシリアルポートであり、データケーブルを介してインテリジェント端末のオーディオポートとつながる。
【００１３】
さらに、前記操作パネルに電源キーおよびスタート／一時停止キーが設置される。
洗濯機およびインテリジェント端末が接続していないとき、前記スタート／一時停止キーによりデフォルトでスタートする洗濯プログラムは、
洗濯機のデフォルトの洗濯プログラム；または
インテリジェント端末で予め設定した洗濯プログラム；または
洗濯機が実行した回数が最も多い洗濯プログラム；または
洗濯機が最後に実行した洗濯プログラムである。
【００１４】
さらに、洗濯機の上面板に、インテリジェント端末を水平に置くことができる第１のへこみが設置され、形状はインテリジェント端末の形状に適応する。
好ましくは、辺の長さが比較的長い２つの側壁にそれぞれ弾性材を設置し、インテリジェント端末を固定する。
【００１５】
さらに、洗濯機の上面板に、インテリジェント端末を垂直に置くことができる第２のへこみが設置され、形状はインテリジェント端末の形状に適応する。
第２のへこみの底部に２つのＶ形支持台を設置し、インテリジェント端末を支持して固定する。
【００１６】
さらに、前記接続部は２つのＶ形支持台の中間に設置され、インテリジェント端末と差込接続される。
【００１７】
本発明は、上記洗濯機に用いた制御方法をさらに提供する。前記制御方法は以下の工程を含む。
Ｓ１：インテリジェント端末は、ユーザの行為をリアルタイムで監視し、ユーザの操作を検出したとき、洗濯機の機能構成表を照会する。
Ｓ２：インテリジェント端末が機能構成表を解析する。
Ｓ３：インテリジェント端末は、機能構成表の要求に応じて、ユーザの操作を洗濯機が受信することができる操作コマンドに変換し、洗濯機に送信する。
Ｓ４：洗濯機は操作コマンドを受信し、解析後、操作コマンドに応じて洗濯を実行する。
【００１８】
さらに、工程Ｓ１の後、機能構成表の照会に成功したかどうかをインテリジェント端末が判断し、成功した場合、工程Ｓ２に進み、そうでない場合、ユーザに動作中の接続した装置が異常であると提示することをさらに含む。
工程Ｓ２の後、機能構成表の解析に成功したかどうかをインテリジェント端末が判断し、成功した場合、工程Ｓ３に進み、そうでない場合、ユーザに動作中の機能構成表の解析に失敗したと提示することをさらに含む。
工程Ｓ３の後、洗濯機が操作コマンドの受信に成功したかどうかをインテリジェント端末が判断し、成功した場合、工程Ｓ４に進み、そうでない場合、ユーザに洗濯機がコマンドの受信に失敗したと提示することをさらに含む。
【００１９】
さらに、工程Ｓ４において、洗濯機が操作コマンドを解析した後、
解析に成功したかどうかを洗濯機が判断することと、
成功した場合、操作コマンドに応じて洗濯を実行し、そうでない場合、ユーザに受信したコマンドが異常であると提示することとをさらに含む。
【発明の効果】
【００２０】
本発明を実施するための形態で提供する技術案の有益な効果は以下の通りである。
１、本発明は、洗濯機の操作パネルに、洗濯プログラムを制御するキーと、ディスプレイと、ディスプレイおよび洗濯プログラムキーを駆動する周辺回路とを設置しない。これにより洗濯機の外観は簡潔で、洗練されるだけでなく、洗濯機の製造コストおよび開発者による開発コストなどを大幅に節約し、洗濯機の普及に有利である。
２、洗濯機にメディアポートを設置し、メディアポートによりインテリジェント端末を接続し、インテリジェント端末で洗濯機を制御する。インテリジェント端末が急速に発展する今日、インテリジェント端末はすでに人手の一部である。インテリジェント端末のコントロールセンターを洗濯機のコントロールセンターとして利用し、インテリジェント端末のディスプレイを洗濯機の表示モジュールとして利用する。洗濯機の機能を実現することを基にして、洗濯機のコストをさらに節約した。インテリジェント端末は取外しが便利であり、柔軟に交換することもでき、洗濯におけるユーザ体験を大幅に高める。
３、洗濯機に設置されたメディアポートに、ＰＣまたは調整装置を直接接続することもできる。洗濯機のシステムアップグレードまたは機能調整が便利であり、従来の洗濯機が速やかに機能をアップデートすることができない問題を解決した。
４、洗濯機にインテリジェント端末を置くへこみをさらに設け、インテリジェント端末を洗濯機に固定する。これにより、インテリジェント端末および洗濯機を一体化し、ユーザがインテリジェント端末で操作するのが便利である。
５、従来の洗濯機上のスタート／一時停止キーの機能を変更し、洗濯機およびインテリジェント端末が接続していないとき、スタート／一時停止キーによりデフォルトでスタートする洗濯プログラムを多様化し、ユーザが予めインテリジェント端末で設定することができる。洗濯機のユーザフレンドリーの程度も高め、ユーザ体験を高めた。
６、洗濯機およびインテリジェント端末の接続過程をインテリジェント化し、接続に複数回失敗したときユーザに提示し、失敗の原因も表示し、ユーザが失敗の原因を照会するのに便利である。
【００２１】
本発明を実施するための形態の技術案をより明確に説明するため、以下、発明を実施するための形態で使用する必要がある図を簡単に説明する。明らかに、以下に記載の図は本発明のいくつかの実施例に過ぎず、当業者は創造的労働を行わない前提で、これらの図に基づいて、その他の図を得ることもできる。
【図面の簡単な説明】
【００２２】
【図１】図１は、本発明の実施例１が提供する洗濯機の構造概要図である。
【図２】図２は、本発明の実施例１が提供する別の洗濯機の構造概要図である。
【図３】図３は、本発明の実施例１が提供する弾性材の構造概要図である。
【図４】図４は、本発明の実施例１が提供する別の弾性材の構造概要図である。
【図５】図５は、本発明の実施例１が提供する別の弾性材の構造概要図である。
【図６】図６は、本発明の実施例１が提供する別の洗濯機の構造概要図である。
【図７】図７は、本発明の実施例２が提供する洗濯機の制御方法のフローチャートである。
【図８】図８は、本発明の実施例３が提供する別の洗濯機の制御方法のフローチャートである。
【発明を実施するための形態】
【００２３】
実施例１
本実施例は、洗濯機を提供する。図１に示すように、該洗濯機に操作パネル１が設けられ、該操作パネル１は、洗濯プログラムを制御するキーと、ディスプレイと、ディスプレイおよび洗濯プログラムキーを駆動する周辺回路とを設けないパネル構造である。該洗濯機にインテリジェント端末の接続部がさらに設けられ、インテリジェント端末とデータ接続して、インテリジェント端末で洗濯機を制御することができる。
【００２４】
このうち、インテリジェント端末に、洗濯機を制御するアプリケーションプログラムをインストールすることができ、洗濯機およびインテリジェント端末の接続が成功すると、ユーザはインテリジェント端末のアプリケーションプログラムで洗濯機を制御することができる。
【００２５】
このうち、従来の洗濯機における操作パネルの主な作用は、ヒューマンコンピュータインタラクションを実現することであり、通常、各種機能の入力キーと、ディスプレイと、ディスプレイおよび機能キーを駆動する周辺回路とを含む。ユーザは、相応する機能の入力キーにより洗濯機を制御して、相応する機能を実現することができ、洗濯機の表示ウィンドウまたはディスプレイにより、洗濯機の動作中の状態をフィードバックする。タッチパネル（例えばＴＦＴタッチパネル）を取り付けた操作パネルは、入力機能を提供するだけでなく、洗濯機のフィードバックされた動作中の状態を表示することもでき、圧倒的多数のインテリジェント洗濯機の入力に対する要求、例えばネットワーク接続モジュールの構成、プログラムの使用説明などを満たした。機能キーを設置した操作パネルが実現することができる機能は比較的少なく、多くの機能を実現することができるタッチパネルの製造コストは比較的高く、周辺回路の開発およびメンテナンスも大量の製造コストおよび人的コストをもたらす。したがって、コストを節約し、洗濯機のインテリジェント機能の使用に影響を及ぼさないようにするため、操作パネル１に洗濯プログラムを制御するキーと、ディスプレイと、ディスプレイおよび洗濯プログラムキーを駆動する周辺回路とを設置せず、洗濯機の接続部を介してインテリジェント端末をつなぎ、インテリジェント端末のディスプレイおよびコントロールセンターを利用して洗濯機を制御する。これにより洗濯機の外観が簡潔で、洗練されているだけでなく、洗濯機の製造コストおよび開発者による開発コストなどを大幅に節約し、洗濯機の普及に有利である。
【００２６】
さらに、該接続部はメディアポート３であり、シリアルポートをメディアポートに変換するチップを介して洗濯機中のシリアルポートとつながる。該シリアルポートをメディアポートに変換するチップは、洗濯機のメインボードに設置される。好ましくは、該メディアポート３はデータ伝送ポートであり、ＵＳＢポートおよび／またはｍｉｎｉＵＳＢポートを含む。
【００２７】
このうち、従来の洗濯機におけるシリアルポートは予約ポートであり、通常、開発過程の調整、アップグレードに用いられ、外部接続ポートとして利用しない。インテリジェント端末のデータ伝送ポートは、通常、ＵＳＢポートまたはｍｉｎｉＵＳＢポートであり、シリアルポートおよびＵＳＢポート／ｍｉｎｉＵＳＢポートが準拠するプロトコルは異なるため、直接つなげることができず、シリアルポートをメディアポートに変換するチップでプロトコルを変換する必要がある。ＵＳＢおよびｍｉｎｉＵＳＢが準拠するプロトコルは同じであり、直接つなげるか、またはデータケーブルによりつなげることができる。したがって、洗濯機にメディアポート３（ＵＳＢポートおよび／またはｍｉｎｉＵＳＢポートを含む）を設置し、データケーブルによりインテリジェント端末と接続することができる。メディアポート３と洗濯機内部のシリアルポートとの間に、シリアルポートをメディアポートに変換するチップを追加してプロトコルを変換し、メディアポート３およびシリアルポートのデータ通信を実現する。
【００２８】
このうち、洗濯機のメインボードにシリアルポートをメディアポートに変換するチップを追加した後、インテリジェント端末と通信するパスワードパケットを定義する必要もある。洗濯機およびインテリジェント端末が伝送しようとする内容を相互に取り決めることを目的とし、パスワードパケットを定義するとき、先に実現しようとする機能を定義してから、機能の内容に応じて、伝送する名称およびパラメータを取り決めることができる。他に、インテリジェント端末は管理者権限のインテリジェントオペレーティングシステムを有する必要があり、シリアルポートをメディアポートに変換するチップの駆動を内蔵することができる。主制御装置として、インテリジェント端末に洗濯機を制御することができるアプリケーションプログラムをインストールする必要もある。
【００２９】
本発明の１つの好ましい方式として、接続部は、洗濯機中の制御回路とつながる洗濯機上のシリアルポートでもよい。該シリアルポートを外部ポートとして設置し、データケーブルによりインテリジェント端末のオーディオポートと接続する。インテリジェント端末に洗濯機を制御することができるアプリケーションプログラムをインストールすると、ユーザはアプリケーションプログラムで操作することができる。インテリジェント端末はユーザの操作を相応する制御コマンドに変換して、オーディオポートを経て洗濯機上のシリアルポートに伝送し、さらに洗濯機の制御回路に伝送する。制御回路はインテリジェント端末が送信した制御コマンドに基づいて、相応する実行機構を駆動してコマンドを実行する。
【００３０】
本発明のもう１つの好ましい方式として、接続部は洗濯機上のＮＦＣチップでもよく、ＮＦＣ通信技術によりインテリジェント端末とデータ交換を行う。インテリジェント端末に洗濯機を制御することができるアプリケーションプログラムをインストールすると、ユーザはアプリケーションプログラムで操作することができる。インテリジェント端末はユーザの操作を相応する制御コマンドに変換して、ＮＦＣ通信技術により洗濯機に送信する。洗濯機は制御コマンドを受信し、解析後、相応する実行機構に送信してコマンドを実行する。
【００３１】
現在、インテリジェント端末の普及は、すでに人手の一部、さらには二から三部の状態となるまでに達しており、絶対的多数のインテリジェント端末はタッチパネルである。したがって、インテリジェント端末を使用して洗濯機を制御するのは、便利でタッチ制御操作を実現することができるだけでなく、インテリジェント端末の表示インタフェースに洗濯機のフィードバックされた状態を表示することもできる。インテリジェント端末は取外しが便利であり、柔軟に交換することもでき、洗濯におけるユーザ体験を大幅に高める。洗濯機上に設置されるメディアポート３は、直接ＰＣまたは調整装置に接続することもでき、洗濯機のシステムアップグレードまたは機能調整を行うのに便利であり、従来の洗濯機が速やかに機能をアップデートすることができない問題を解決した。
【００３２】
さらに、操作パネル１に電源キーおよびスタート／一時停止キーが設置される。電源キーは洗濯機の始動／停止を制御し、スタート／一時停止キーの機能は以下の２つの状況を含む。
（１）洗濯機およびインテリジェント端末が接続すると、インテリジェント端末で洗濯プログラムを選択することができる。インテリジェント端末が選択した洗濯プログラムを洗濯機に送信し、このときスタート／一時停止キーを押すと、作動させる選択した洗濯プログラムをスタートすることができる。洗濯プログラムの動作過程で、スタート／一時停止キーを押すと、動作中の洗濯プログラムを一時停止するか、または引き続き動作させることができる。
（２）洗濯機およびインテリジェント端末が接続していないとき、ユーザは洗濯機を直接操作して洗濯を実行することができる。具体的な方法として、スタート／一時停止キーを押してある洗濯プログラムをデフォルトでスタートさせ、洗濯プログラムの動作過程で、スタート／一時停止キーを押して、動作中の洗濯プログラムを一時停止するか、または引き続き動作させることができる。このうち、スタート／一時停止キーによりデフォルトでスタートする洗濯プログラムは、以下の状況のいずれか１つでよい。
【００３３】
ａ．洗濯機のデフォルトの洗濯プログラム
このうち、該洗濯プログラムは、開発者が洗濯機のメインボードに予め設定することができる。
【００３４】
ｂ．インテリジェント端末で予め設定した洗濯プログラム
このうち、洗濯機およびインテリジェント端末が接続すると、インテリジェント端末のアプリケーションプログラムで該洗濯プログラムを自ら設定することができ、設定が完了すると、インテリジェント端末は該洗濯プログラムを洗濯機に送信して保存する。
【００３５】
ｃ．洗濯機が実行した回数が最も多い洗濯プログラム
このうち、洗濯機は各作動した洗濯プログラムを記憶する機能を有し、各洗濯プログラムが作動した合計回数を計算することができ、洗濯機が実行した回数が最も多い洗濯プログラムを比較して算出する。
【００３６】
ｄ．洗濯機が最後に実行した洗濯プログラム
このうち、洗濯機は各作動した洗濯プログラムを記憶する機能を有し、洗濯プログラムの動作終了後、当該回で作動した洗濯プログラムを、洗濯機が最後に実行した洗濯プログラムとして保存する。
【００３７】
従来の洗濯機におけるスタート／一時停止キーの単一の機能に対して、本発明のスタート／一時停止キーは、ユーザまたは市場の需要に基づいて、速やかに調整することができ、消費者の要望を満たすのにより有利である。さらに洗濯機のユーザフレンドリーの程度も高め、ユーザ体験を高めた。
【００３８】
さらに、図２に示すように、洗濯機の上面板２にインテリジェント端末を水平に置くことができる第１のへこみ４が設置され、形状はインテリジェント端末の形状に適応する。好ましくは、辺の長さが比較的長い２つの側壁にそれぞれ弾性材６を設置し、インテリジェント端末を固定する。インテリジェント端末を洗濯機と接続した後、インテリジェント端末をへこみに固定して、洗濯機の操作パネルおよびディスプレイとして使用することができる。ユーザはインテリジェント端末でタッチ操作を行うことができ、簡単で便利である。
【００３９】
このうち、第１のへこみ４における上面板２の辺縁の近くで、辺の長さが比較的短い一側に開口がさらに設けられ、インテリジェント端末および洗濯機をデータケーブルで接続するのに便利である。好ましくは、洗濯機上のメディアポート３（すなわち接続部）を第１のへこみ４中に設置することもできる。このうち、弾性材６は弾性を有するプラスチック片でよく、２つの側壁の弾性材６は相対して設置され、相互に相手側に向かって突起する。好ましくは、弾性材６の突起部分に外側に傾斜した勾配がさらに設けられ、インテリジェント端末をへこみ内に垂直に押圧するのに便利であり、ユーザがインテリジェント端末を操作するのに便利である。
【００４０】
好ましくは、弾性材６の設置は図４に示す通りでよい。弾性材６の両端はいずれも第１のへこみ４の側壁に固定され、第１のへこみ４の側壁に少なくとも１つの弾性材６が設置される。
好ましくは、弾性材６の設置は図３に示す通りでよい。弾性材６の一端は第１のへこみ４の側壁に固定され、もう一端は自由端であり、第１のへこみ４の側壁に少なくとも１つの弾性材６が設置される。
好ましくは、弾性材６の設置は図５に示す通りでもよい。弾性材６の一端は第１のへこみ４の側壁に固定され、もう一端は自由端である。同一の側壁に位置する２つの弾性材６が１組に組み合わさって使用され、「人」字形を形成し、第１のへこみ４の側壁に少なくとも１組の「人」字形の弾性材６が設置される。好ましくは、相対する２側の側壁の「人」字形の弾性材６は相対して設置され、組み合わせて使用される。
【００４１】
本発明のもう１つの好ましい方式として、図６に示すように、洗濯機の上面板２にインテリジェント端末を垂直に置くことができる第２のへこみ５が設置され、形状はインテリジェント端末の形状に適応する。第２のへこみ５の底部に２つのＶ形支持台７を設置し、インテリジェント端末を支持して固定し、ユーザの操作を便利にする。
【００４２】
好ましくは、接続部は２つのＶ形支持台７の中間に設置することができ、２つのＶ形支持台と１本の直線を形成し、インテリジェント端末と差込接続される。さらに好ましくは、接続部はｍｉｎｉＵＳＢプラグでよく、シリアルポートをメディアポートに変換するチップを介して洗濯機のメインボードのシリアルポートとつながる。インテリジェント端末を洗濯機と接続するとき、インテリジェント端末のｍｉｎｉＵＳＢポートを洗濯機上のｍｉｎｉＵＳＢプラグと正確に合わせることができ、インテリジェント端末を上から下に押すと、２つのＶ形支持台７はインテリジェント端末を支えて固定する。インテリジェント端末のｍｉｎｉＵＳＢポートを、直接、洗濯機上のｍｉｎｉＵＳＢプラグに差込接続し、データケーブルを使用する必要はない。
【００４３】
実施例２
本実施例は、上記洗濯機に用いた制御方法を提供する。インテリジェント端末に洗濯機を制御することができるアプリケーションプログラムをインストールし、洗濯機およびインテリジェント端末を有線接続するか、または直接差込接続すると、インテリジェント端末は洗濯機を制御することができる。図７に示すように、該方法は以下の工程を含む。
工程１０１：インテリジェント端末は、ユーザの行為をリアルタイムで監視し、ユーザの操作を検出したとき、洗濯機の機能構成表を照会する。
【００４４】
工程１０２：インテリジェント端末が機能構成表を解析する。
【００４５】
工程１０３：インテリジェント端末は、機能構成表の要求に応じて、ユーザの操作を洗濯機が受信することができる操作コマンドに変換し、洗濯機に送信する。
【００４６】
工程１０４：洗濯機は操作コマンドを受信し、解析後、操作コマンドに応じて洗濯を実行する。
【００４７】
実施例３
本実施例は、上記洗濯機に用いた制御方法を提供する。インテリジェント端末に洗濯機を制御することができるアプリケーションプログラムをインストールし、洗濯機およびインテリジェント端末を有線接続するか、または直接差込接続すると、インテリジェント端末はアプリケーションプログラムで洗濯機を制御することができる。図８に示すように、該制御方法は以下の工程を含む。
工程２０１：ユーザの行為を検出したかどうかを判断する。
【００４８】
具体的に、インテリジェント端末は、ユーザの行為を検出したかどうかをリアルタイムで監視して判断する。検出した場合、工程２０２に進み；そうでない場合、工程２０１を繰り返す。
【００４９】
このうち、ユーザの行為は、ユーザがインテリジェント端末で行う操作でよい。ユーザがスマートフォンのあるキーを押す、タッチパネルで入力する、または音声入力するなど、ユーザが操作したとき、インテリジェント端末はユーザの行為を検出したと判定する。
【００５０】
工程２０２：作動させる洗濯機の機能構成表を照会する。
【００５１】
具体的に、ユーザの操作をインテリジェント端末が検出したとき、作動させる洗濯機の機能構成表を照会する。
このうち、洗濯機の機能構成表は洗濯機に予め設定され、該機能構成表に作動させる洗濯機の識別子（例えばメインボードの固有の番号）、作動させる洗濯機がサポートする機能の表、および関連パラメータなどの内容が記録される。インテリジェント端末は複数の洗濯機を制御することができ、異なる型式の洗濯機は異なる機能および異なる伝送プロトコルを有するため、インテリジェント端末は洗濯機を制御する前に、該洗濯機がどの型式の洗濯機であるか、どのようなコマンドおよび制御方式を受信することができるか、などを識別する必要があり、したがって作動させる洗濯機の機能構成表を照会する必要がある。
【００５２】
工程２０３：機能構成表の照会に成功したかどうかを判断する。
【００５３】
成功した場合、工程２０４に進み、そうでない場合、引き続き機能構成表を照会する。
【００５４】
このうち、洗濯機が機能構成表をインテリジェント端末に送信することができる場合、インテリジェント端末は機能構成表の照会に成功したと判定する。インテリジェント端末および洗濯機の接続が不安定である場合、または洗濯機／インテリジェント端末に異常が生じたとき、機能構成表の照会に失敗する可能性がある。
【００５５】
具体的に、インテリジェント端末が初めて機能構成表の照会に失敗したとき、インテリジェント端末は自動的に２回目の機能構成表の照会を試みる。照会に成功した場合、工程２０４に進み、やはり照会に失敗した場合、ユーザに動作中の接続した装置が異常であると提示する。ユーザは提示に基づいて、洗濯機またはインテリジェント端末に異常が生じたかどうか、または両者を接続するデータケーブルに異常が生じたかどうかを検査することができる。
【００５６】
工程２０４：インテリジェント端末が機能構成表を解析する。
【００５７】
このうち、伝送時、構成表の実体は一連のコードである。インテリジェント端末がシリアルポートを介してこの部分のコードを取得すると、パスワードパケットの説明に応じて、機能構成表中の内容を識別する必要がある。
【００５８】
工程２０５：解析に成功したかどうかをインテリジェント端末が判断する。
【００５９】
成功した場合、工程２０６に進み、そうでない場合、工程２０２に戻り、作動させる洗濯機の機能構成表を再び照会する。
具体的に、インテリジェント端末が初めて機能構成表の解析に失敗したとき、インテリジェント端末は自動的に作動させる洗濯機の機能構成表を再び照会して解析する。解析に成功すると、工程２０６に進み、やはり解析に失敗した場合、ユーザに動作中の機能構成表の解析に失敗したと提示する。ユーザは提示に基づいて、洗濯機またはインテリジェント端末に異常が生じたかどうか、または両者を接続するデータケーブルに異常が生じたかを検査することができる。
【００６０】
工程２０６：インテリジェント端末は、機能構成表の要求に応じて、ユーザの操作を洗濯機が受信することができる操作コマンドに変換する。
【００６１】
具体的に、インテリジェント端末は、解析に成功すると、構成表に予め設定した対応関係に応じて、ユーザの操作に対応し、洗濯機が受信することができる操作コマンドを検索することができる。
【００６２】
工程２０７：インテリジェント端末は操作コマンドを洗濯機に送信する。
【００６３】
工程２０８：洗濯機が受信に成功したかどうかを判断する。
【００６４】
成功した場合、工程２０９を実行し、そうでない場合、ユーザに作動させる洗濯機がコマンドの受信に失敗したと提示する。
【００６５】
具体的に、洗濯機はインテリジェント端末が送信した操作コマンドを受信すると、インテリジェント端末にフィードバック信号を送信する必要があり、これにより洗濯機が受信に成功したと説明される。インテリジェント端末が所定時間内（例えば３０Ｓ内）に、洗濯機が送信したフィードバック信号を受信した場合、洗濯機がコマンドの受信に成功したと説明され、インテリジェント端末が所定時間内に、洗濯機が送信したフィードバック信号を受信しなかった場合、インテリジェント端末は作動させる洗濯機がコマンドの受信に失敗したと判断する。
【００６６】
工程２０９：受信した操作コマンドを洗濯機が解析する。
【００６７】
このうち、インテリジェント端末が送信する操作コマンドについて、その実体は一連のコードである。洗濯機はこのコードを受信すると、解析する必要があり、そうしなければ対応する実行機構を制御して該操作コマンドを実行することはできない。
【００６８】
工程２１０：解析に成功したかどうかを洗濯機が判断する。
【００６９】
成功した場合、工程２１１に進み、そうでない場合、インテリジェント端末に再びコマンドを照会するリクエストを送信する。
【００７０】
具体的に、洗濯機が初めてコマンドの解析に失敗したとき、インテリジェント端末に再びコマンドを照会するリクエストを送信し、インテリジェント端末は該リクエストを受信すると、再度ユーザの操作に対応する操作コマンドを洗濯機に送信する。洗濯機は受信した後解析し、やはり解析に失敗した場合、ユーザに受信したコマンドが異常であると提示する。
【００７１】
工程２１１：洗濯機は操作コマンドに応じて洗濯を実行する。
【００７２】
以上の記載は本発明の好ましい実施例に過ぎず、本発明をどのような形式でも制限しない。本発明は好ましい実施例により上記のように開示したが、本発明を限定するものではない。当業者は本発明の技術案を逸脱しない範囲内で、上記に示した技術内容を利用して、均等変化した等価実施例に変更または修飾することができるが、いずれも本発明の技術案の内容を逸脱しない。本発明の技術的本質に基づいて、以上の実施例に対して行う簡単な修正、均等変化および修飾は、いずれも本発明案の範囲内に属する。
【符号の説明】
【００７３】
１  操作パネル
２  上面板
３  メディアポート
４  第１のへこみ
５  第２のへこみ
６  弾性材
７  支持台
【図１】
2019500164.tif 000003
【図２】
2019500164.tif 000004
【図３】
2019500164.tif 000005
【図４】
2019500164.tif 000006
【図５】
2019500164.tif 000007
【図６】
2019500164.tif 000008
【図７】
2019500164.tif 000009
【図８】
2019500164.tif 000010
【国際調査報告】
2019500164.tif 000011
2019500164.tif 000012
2019500164.tif 000013
2019500164.tif 000014
2019500164.tif 000015
2019500164.tif 000016